(57)【要約】【課題】建物の室内と屋外の高さを略同一にすることができる側溝を提供する。【解決手段】建物の床面と屋外の地面との間に設けられる側溝１０において、雨水が通流されるＵ字溝部１１と、Ｕ字溝部の一方の頂部１４から略水平方向に延設されたツバ部１９と、を有し、ツバ部の表面２１におけるＵ字溝部側とは反対側の端部１９ａが、建物の床面と面一になるように配置可能に構成されている。【選択図】図１
2010180582.tif 000002
【特許請求の範囲】
【請求項１】
建物の床面と屋外の地面との間に設けられる側溝において、
雨水が通流されるＵ字溝部と、
該Ｕ字溝部の一方の頂部から略水平方向に延設されたツバ部と、を有し、
該ツバ部の表面における前記Ｕ字溝部側とは反対側の端部が、前記建物に形成された開口部の下端部に連接配置可能に構成されていることを特徴とする側溝。
【請求項２】
前記ツバ部の表面が、前記建物の開口部側から前記Ｕ字溝部に向かって下り勾配に形成されていることを特徴とする請求項１に記載の側溝。
【請求項３】
前記Ｕ字溝部における前記建物側の内側壁部と前記ツバ部とで囲まれた空間部を換気するための換気窓部が前記内側壁部に形成されていることを特徴とする請求項１または２に記載の側溝。
【請求項４】
前記換気窓部に網が設けられていることを特徴とする請求項３に記載の側溝。
【請求項５】
前記Ｕ字溝部における前記屋外側の外側壁部に、雨水浸透孔が形成されていることを特徴とする請求項１〜４のいずれかに記載の側溝。
【請求項６】
前記Ｕ字溝部における前記屋外側の外側壁部の底部から略水平方向に延設されたベース部が形成されていることを特徴とする請求項１〜５のいずれかに記載の側溝。
【請求項７】
前記ツバ部における前記建物との当接面に、前記建物との隙間を閉塞する密着部材が設けられていることを特徴とする請求項１〜６のいずれかに記載の側溝。
【請求項８】
前記密着部材が、弾性の耐候性樹脂で形成されていることを特徴とする請求項７に記載の側溝。
【請求項９】
前記ツバ部が前記建物の形状に沿って切欠き可能に構成されていることを特徴とする請求項１〜８のいずれかに記載の側溝。
【請求項１０】
前記Ｕ字溝部が前記建物の基準となる面上に載置されるとともに、前記Ｕ字溝部の他方の頂部が前記屋外の地面と面一になる高さを有していることを特徴とする請求項１〜９のいずれかに記載の側溝。
【発明の詳細な説明】
【技術分野】
【０００１】
本発明は、側溝に関するものである。
【背景技術】
【０００２】
近年、建物と屋外の地面との間に、建物の屋根や外壁に降った雨水を集水し、その雨水を雨水桝から敷地外の雨水配管へと導くための側溝を設ける建物が見受けられるようになってきている（例えば、特許文献１参照）。
また、近年は「バリアフリー」や「ユニバーサルデザイン」という言葉が一般的に用いられるようになってきており、建物の室内と屋外との段差を無くすようにしてほしいという要望が多くなってきている。
【先行技術文献】
【特許文献】
【０００３】
【特許文献１】特開２００６−１６９８９９号公報
【発明の概要】
【発明が解決しようとする課題】
【０００４】
しかしながら、建物の室内と屋外の段差を無くして、建物の室内と屋外の高さを略同一にすると、図８に示すように、基礎パッキン工法を採用した場合は、屋外に降った雨水Ｌが建物基礎内２６１へ浸入したり、雨水Ｌが跳ね返り建物内２６２へ浸入したりしてしまうという問題がある。また、図１１に示すように、基礎３６０に防虫スクリーン３６３が設けられた床下換気口３６５を形成した場合も、同様に、屋外に降った雨水Ｌが建物基礎内３６１へ浸入したり、雨水Ｌが跳ね返り建物内３６２へ浸入したりしてしまうという問題がある。
【０００５】
そこで、建物の外周沿いに側溝を設置する工法が提案されているが、従来の側溝２００では、図９に示すように、基礎パッキン工法を採用した場合は、建物基礎内２６１の換気のための隙間２６５を塞いでしまい、建物基礎内２６１の換気障害を引き起こす虞があることや、側溝２００の蓋２６３（グレーチング）の着脱が困難になるという問題がある。特に、建物基礎内２６１の換気障害が生じると、建物基礎内２６１に湿気が溜まり、カビが発生するなどの問題がある。また、図１２に示すように、床下換気口３６５を形成した場合も、同様に、建物基礎内３６１の換気障害を引き起こす虞があることや、側溝２００の蓋２６３の着脱が困難になるという問題がある。
【０００６】
また、図１０に示すように、基礎パッキン工法を採用した場合は、側溝２００を建物外壁２４１から所定距離離間して配置すると、建物基礎内２６１の換気障害および蓋２６３の着脱は問題なくなるが、側溝２００が自立できないことや、建物と側溝２００との隙間に落ち葉などのゴミが溜まるという問題がある。さらに、建物外壁２４１には雨水の縦樋などが配されるため外壁形状に凹凸が生じる。したがって、側溝２００は外壁の凹凸形状に影響を受けない位置に設置しなければならないという問題がある。また、図１３に示すように、床下換気口３６５を形成した場合も、同様に、側溝２００が自立できないことや、建物と側溝２００との隙間に落ち葉などのゴミが溜まるという問題がある。
【０００７】
そこで、この発明は、上述の事情を鑑みてなされたものであり、建物の室内と屋外の高さを略同一にすることができる側溝を提供するものである。
【課題を解決するための手段】
【０００８】
上記の課題を解決するために、請求項１に記載した発明は、建物の床面と屋外の地面との間に設けられる側溝において、雨水が通流されるＵ字溝部と、該Ｕ字溝部の一方の頂部から略水平方向に延設されたツバ部と、を有し、該ツバ部の表面における前記Ｕ字溝部側とは反対側の端部が、前記建物に形成された開口部の下端部に連接配置可能に構成されていることを特徴としている。
【０００９】
請求項２に記載した発明は、前記ツバ部の表面が、前記建物の開口部側から前記Ｕ字溝部に向かって下り勾配に形成されていることを特徴としている。
【００１０】
請求項３に記載した発明は、前記Ｕ字溝部における前記建物側の内側壁部と前記ツバ部とで囲まれた空間部を換気するための換気窓部が前記内側壁部に形成されていることを特徴としている。
【００１１】
請求項４に記載した発明は、前記換気窓部に網が設けられていることを特徴としている。
【００１２】
請求項５に記載した発明は、前記Ｕ字溝部における前記屋外側の外側壁部に、雨水浸透孔が形成されていることを特徴としている。
【００１３】
請求項６に記載した発明は、前記Ｕ字溝部における前記屋外側の外側壁部の底部から略水平方向に延設されたベース部が形成されていることを特徴としている。
【００１４】
請求項７に記載した発明は、前記ツバ部における前記建物との当接面に、前記建物との隙間を閉塞する密着部材が設けられていることを特徴としている。
【００１５】
請求項８に記載した発明は、前記密着部材が、弾性の耐候性樹脂で形成されていることを特徴としている。
【００１６】
請求項９に記載した発明は、前記ツバ部が前記建物の形状に沿って切欠き可能に構成されていることを特徴としている。
【００１７】
請求項１０に記載した発明は、前記Ｕ字溝部が前記建物の基準となる面上に載置されるとともに、前記Ｕ字溝部の他方の頂部が前記屋外の地面と面一になる高さを有していることを特徴としている。
【発明の効果】
【００１８】
請求項１に記載した発明によれば、Ｕ字溝部にツバ部を形成することによりツバ部の幅分だけＵ字溝部を建物外壁から離すことができる。また、ツバ部と建物に形成された開口部の下端部とが連続的に配置されることにより、建物の床面（室内）と屋外との間の段差を無くすことができ、建物の床面（室内）と屋外の高さを略同一にすることができる。したがって、建物の床面と屋外の地面との間をバリアフリー化することができる。
【００１９】
請求項２に記載した発明によれば、建物の外壁面などに降った雨水をツバ部の表面からＵ字溝部内へ確実に導くことができる。したがって、建物の室内側へ雨水が浸入するのを確実に防止することができる。
【００２０】
請求項３に記載した発明によれば、空間部に溜まった湿気を換気窓部から逃がすことができる。したがって、建物の床下の建物基礎内の湿気を外壁より建物外の空間部へ逃がす経路を形成することにより、建物基礎内の湿気を換気窓部を通して外部へ逃がすことができ、建物基礎内に湿気が溜まるのを防止することができる。
【００２１】
請求項４に記載した発明によれば、落ち葉などのゴミが換気窓部から空間部に入るのを防止することができる。
【００２２】
請求項５に記載した発明によれば、Ｕ字溝部に溜まった雨水の一部を地中に浸透させることができ、効率よく雨水を処理することができる。また、雨水を地中に浸透させることにより、都市洪水の防止に貢献することができる。
【００２３】
請求項６に記載した発明によれば、ベース部上に砕石や土壌を積載することにより、側溝を自立させることができる。また、ベース部が土留として機能することにより、建物側へ側溝の自重がかかることがなくなり、建物への負担を軽減することができる。さらに、側溝が土留を兼用することになるため、施工性が向上し、施工費の低減をすることができる。
【００２４】
請求項７に記載した発明によれば、建物と側溝の隙間から雨水が空間内へ浸入するのを防止することができる。
【００２５】
請求項８に記載した発明によれば、密着部材を隙間の形状に合わせて変形させることができるため、建物と側溝の隙間の形状に影響されず、確実に隙間を閉塞することができ、建物と側溝の隙間から雨水が空間内へ浸入するのを防止することができる。
【００２６】
請求項９に記載した発明によれば、建物の外壁面の形状に沿ってツバ部を切り欠くことにより、建物と側溝との距離を適切な距離に保つことができる。
【００２７】
請求項１０に記載した発明によれば、建物の基準となる面（設計ＧＬ面）に側溝を載置することができるため、建物の外壁面における地中部分に土壌が接することがなくなる。したがって、土壌内に含有されている雨水などの水分が建物基礎内へ浸入するのを防止することができる。
【図面の簡単な説明】
【００２８】
【図１】本発明の実施形態における側溝の斜視図である。
【図２】本発明の実施形態における側溝の側面図である。
【図３】本発明の実施形態における側溝を建物際に設置したときの断面図である。
【図４】本発明の実施形態における側溝を建物際に設置したときの斜視図である。
【図５】本発明の実施形態における側溝を建物際に設置する際の説明図であり、建物外壁に突起物が配されている場合の斜視図である。
【図６】本発明の実施形態における側溝（出隅用）の斜視図である。
【図７】本発明の実施形態における側溝（入隅用）の斜視図である。
【図８】従来の建物際の施工例を説明する説明図（１）である。
【図９】従来の側溝を建物際に設置した状態を示す説明図（１）である。
【図１０】従来の側溝を建物際に設置した状態を示す説明図（２）である。
【図１１】従来の建物際の施工例を説明する説明図（２）である。
【図１２】従来の側溝を建物際に設置した状態を示す説明図（３）である。
【図１３】従来の側溝を建物際に設置した状態を示す説明図（４）である。
【発明を実施するための形態】
【００２９】
次に、本発明の側溝の実施形態を図１〜図７に基づいて説明する。
図１、図２に示すように、側溝１０は、コンクリートで形成されており、雨水が通流するＵ字溝部１１を有している。Ｕ字溝部１１は、側溝１０を建物の外壁面沿いに設置したときに建物側に位置する内側壁部１３と、内側壁部１３と対向配置される外側壁部１５と、内側壁部１３と外側壁部１５とを連結する底部１７と、を有している。
【００３０】
また、内側壁部１３の頂部１４には、略水平方向に延設されたツバ部１９が形成されている。ツバ部１９の表面２１は、ツバ部１９の端部１９ａからＵ字溝部１１に向かって下り勾配になるように形成されている。さらに、内側壁部１３には、該内側壁部１３とツバ部１９とで囲まれる空間部２３を換気するための換気窓部２５が形成されている。なお、換気窓部２５には、落ち葉などのゴミや小動物の侵入を防止する金網２７が取り付けられている。金網２７には、例えばステンレス製の金網が用いられる。また、換気窓部２５は、例えば、一カ所当たり１５０ｍｍ×１００ｍｍの大きさで形成されている。
【００３１】
外側壁部１５には、Ｕ字溝部１１内を通流する雨水の一部を地中に浸透させるために雨水浸透孔３１が複数形成されている。雨水浸透孔３１は地中側の砕石などがＵ字溝部１１内へ侵入しない大きさで、例えば断面が直径３０ｍｍの円形で形成されている。なお、雨水浸透孔３１は、外側壁部１５の下端近傍および下端から所定距離上方の位置に形成され、例えば、１００ｍｍピッチで千鳥状に形成されている。また、外側壁部１５と底部１７とが当接する箇所には略水平方向外側（地中側）に延設されたベース部３３が形成されている。
【００３２】
なお、側溝１０は、設計ＧＬ（図３参照）上に底部１７を載置したときに、Ｕ字溝部１１の頂部１４が屋外の地面（建物の開口部の下端部）と略同一になる高さを有している。
【００３３】
次に、側溝１０を建物直近に設置した状態について説明する。
図３、図４に示すように、側溝１０は、建物外壁面４１に沿うように配される。具体的には、建物外壁面４１の周囲に配された砕石４２の上面に形成されたモルタル４３上に、側溝１０の底部１７およびベース部３３が載置されている。なお、モルタル４３の上面が設計ＧＬに設定されている。
【００３４】
ここで、側溝１０のツバ部１９の端部１９ａは、建物外壁面４１に略当接されている。また、ツバ部１９の表面２１と建物の開口部（例えば、掃き出し窓のサッシ開口部）７１の下端部７３との間は当接され、側溝１０と建物の開口部７１の下端部７３との間の段差が無くなり、略面一になるように構成されている。
【００３５】
ベース部３３上には、砕石４５が配されており、砕石４５上には土間コンクリート４６が形成され、該土間コンクリート４６の表面にはタイル４７などの仕上材が設けられている。そして、タイル４７の仕上面と側溝１０の外側壁部１５の頂部１６とは略面一になるように構成されている。
【００３６】
また、図４に示すように、建物外壁面４１に雨水縦樋４９などの突起物が配されていることがある。このような位置においては、ツバ部１９が雨水縦樋４９の外形形状に沿って切り欠いて取り付けられている。この切欠き部５１と雨水縦樋４９との間には密着部材５３が配されている。
図５に示すように、密着部材５３は、例えば、弾性のある耐候性樹脂で形成されており、現場にて所望の長さに切断して、切欠き部５１と雨水縦樋４９との間に挟持するように取り付け、隙間ができないようにしている。なお、建物の外壁形状自体に凹凸が形成されている場合にも、同様にその凹凸形状に対応してツバ部１０の一部を切り欠いて切欠き部５１を形成することで、隙間なく設置することができる。
【００３７】
密着部材５３の具体的な材質としては、アクリルゴム（ＡＣＭ）、アクリロニトリルブタジエンゴム（ＮＢＲ）、アクリロニトリル−アクリルゴム−スチレン共重合体（ＡＡＳ）、イソプレンゴム（ＩＲ）、シリコーンゴム（Ｑ）、スチレンブタジエンゴム（ＳＢＲ）、フッ素ゴム（ＦＫＭ）、ブラジエンゴム（ＢＲ）、ポリイソブチレンゴム（ＩＩＲ）、ウレタンゴム（Ｕ）、エチレンプロピレンゴム（ＥＰＭ、ＥＰＤＭ）などを用いることができる。
【００３８】
また、隣接する側溝１０，１０の間は、モルタル目地５５などにより連結される。なお、モルタル目地５５と建物外壁面４１との隙間にも密着部材５５が配されている。また、側溝１０と建物外壁面４１との隙間には、シール材などをコーキングして隙間を埋めている。このようにして、建物外壁面４１の直線部分に側溝１０が連続的に配される。
【００３９】
次に、建物の出隅部には、図６に示すような側溝１１０が設けられ、建物の入隅部には、図７に示すような側溝１２０が設けられる。側溝１０，１１０，１２０を組み合わせることにより建物の外周の略全周に亘って、側溝を連続的に配することができる。
【００４０】
図３に戻り、建物外壁面４１に側溝１０を当接させるようにして設置すると、側溝１０の内側壁部１３、ツバ部１９、建物外壁面４１およびモルタル４３に囲まれるように空間部２３が形成される。このように空間部２３を形成することにより建物の基礎内部６１に雨水や湿気が浸入するのを防ぐことができる。
【００４１】
また、空間部２３と外部空間とを連通する換気窓部２５を形成することにより、空間部２３が換気され、建物の基礎内部６１に湿気が浸入するのを確実に防止することができる。さらに、換気窓部２５に金網２７を設けたため、換気窓部２５から空間部２３へ落ち葉などのゴミや小動物が侵入するのを防止することができる。なお、換気窓部２５は有効換気面積を確保された大きさで形成されている。
【００４２】
さらに、建物外壁面４１と側溝１０のツバ部１９との隙間に密着部材５３を設けたため、該隙間から空間部２３に雨水が浸入するのを防止することができる。
【００４３】
また、側溝１０にツバ部１９を形成したため、建物外壁面４１に配される雨水縦樋４９、空調冷媒管、空調ドレイン管、および窓枠などの突起物の外形形状に合わせて切欠き部５１を形成して、側溝１０を建物側に寄せて設置することができる。また、ツバ部１９を形成することにより、建物外壁面４１と有効な距離を保つことができる。さらに、ツバ部１９を形成することにより、Ｕ字溝部１１の位置が建物外壁面４１からツバ部１９分だけ離間させることができるため、一般的にＵ字溝部１１を塞ぐように設けられるグレーチング６３が容易に着脱できるようになる。そして、ツバ部１９の表面が建物外壁面４１側からＵ字溝部１１に向かって下り勾配になるようにしたため、建物外壁面４１などを伝って落ちてきた雨水を確実にＵ字溝部１１へと誘導することができ、雨水が建物内へ浸入するのを抑制することができる。
【００４４】
また、側溝１０にベース部３３を形成し、モルタル４３上に自立できるようにした。このように構成したため、ベース部３３上に砕石４５を堆積させることができ、側溝１０の荷重が建物側へかかることがなくなり、建物への負担を無くすことができる。
【００４５】
また、側溝１０に雨水浸透孔３１を形成し、砕石４５へ雨水を浸透させることができるように構成したため、側溝１０を水平に設置することができる。したがって、側溝１０の施工性を向上することができる。
【００４６】
さらに、側溝１０を設計ＧＬ上（モルタル４３上）に設置したときに、外側壁部１５の頂部１６が外部の仕上面であるタイル４７と面一になるような高さを有するように構成したため、施工性を向上することができる。なお、側溝１０の高さとしては、例えば、４５０ｍｍ〜６００ｍｍ程度の高さを有している。また、建物の基準となる設計ＧＬ面に側溝１０を載置することにより、建物外壁面４１における地中部分に土壌が接することがなくなる。したがって、土壌内に含有されている雨水などの水分が建物の基礎内部６１へ浸入するのを防止することができる。
【００４７】
本実施形態によれば、側溝１０にツバ部１９を形成することにより、ツバ部１９の幅分だけＵ字溝部１１を建物外壁面４１から離すことができる。また、ツバ部１９の表面２１と建物に形成された開口部７１の下端部７３とが連続的になるように構成にすることにより、側溝１０と建物の開口部７１の下端部７３との間の段差が無くなり、建物の床面（室内）と屋外の高さを略同一にすることができる。したがって、建物の床面と屋外の地面との間をバリアフリー化することができる。
【００４８】
なお、本発明は、上述の実施形態に限定されるものではなく、本発明の趣旨を逸脱しない範囲において、種々の変更を加えることが可能であり、実施形態で挙げた具体的な材料、形状や構成などはほんの一例に過ぎず、適宜変更が可能である。
【符号の説明】
【００４９】
１０…側溝  １１…Ｕ字溝部  １３…内側壁部  １４…頂部（一方の頂部）  １５…外側壁部  １６…頂部（他方の頂部）  １９…ツバ部  １９ａ…端部  ２１…表面  ２３…空間部  ２５…換気窓部  ２７…金網（網）  ３１…雨水浸透孔  ３３…ベース部  ５３…密着部材  ７１…開口部  ７３…下端部
【図１】
2010180582.tif 000003
【図２】
2010180582.tif 000004
【図３】
2010180582.tif 000005
【図４】
2010180582.tif 000006
【図５】
2010180582.tif 000007
【図６】
2010180582.tif 000008
【図７】
2010180582.tif 000009
【図８】
2010180582.tif 000010
【図９】
2010180582.tif 000011
【図１０】
2010180582.tif 000012
【図１１】
2010180582.tif 000013
【図１２】
2010180582.tif 000014
【図１３】
2010180582.tif 000015